(57)【要約】      （修正有）【課題】光ディスクをその最大外形の位置まで押込むことなく、少しだけ挿入しただけで光ディスクが自動的に引込まれるようにし、しかも排出の際にも光ディスクが飛出さないようにした光ディスクプレーヤ。【解決手段】光ディスク９２の引込みの最初の状態においては、引込みレバー７８上の駆動輪８２と光ディスクの外周面との間の摩擦力によって滑り止めゴム１７上を転動させるようにして光ディスク９２を引込む。そしてチャッキング位置の手前において、モータ６２の駆動力がピニオン６５およびラック６１によって移動されるスライド板５０の摺動動作を利用し、コントロールレバー８６によって引込みレバー７８を回動させるとともに、上記スライド板の摺動動作に連動して切換えレバー７０を回動させて伝達歯車７３を歯車列６４中の中間ギヤから離間させて上記駆動輪に対する駆動力を遮断し、駆動輪をコロとして引込みの最終動作を行なうようにする。【選択図】図７
2007200491.tif 000002
【特許請求の範囲】
【請求項１】
ディスクの外周部に回転体を押当てて前記ディスクを動作位置へ引込むディスクの引込み装置において、
前記回転体を回転自在に支持した引込みレバーと、
前記回転体に対して回転駆動力を伝達する回転駆動手段と、
前記回転体に対する回転駆動力の伝達と遮断とを切換える切換え手段と、
を有し、前記回転体に対して回転駆動力を伝達して該回転体と前記ディスクとの間の摩擦力により前記ディスクを途中まで引込み、前記ディスクが所定の位置まで引込まれたら前記切換え手段によって前記回転体に対する回転駆動力の伝達を遮断して前記回転体を自由な状態にして、前記引込みレバーの移動によって前記ディスクを引込むようにしたことを特徴とするディスクの引込み装置。
【請求項２】
駆動ギヤと噛合うラックを有するスライド板を備え、該スライド板の摺動に連動して前記切換え手段による回転駆動力の遮断と、前記引込みレバーの移動による前記ディスクの引込み動作とが行なわれることを特徴とする請求項１に記載のディスクの引込み装置。
【請求項３】
前記引込みレバーが前記スライド板の摺動に連動してコントロールレバーを介して回動し、前記引込みレバーに支持された回転体によって前記ディスクを引込むことを特徴とする請求項２に記載のディスクの引込み装置。
【請求項４】
前記コントロールレバーに植設されているピンが前記スライド板の異形の開口の周縁部によって押されて該コントロールレバーが回動し、該コントロールレバーの回動運動を前記引込みレバーに伝達して前記ディスクの引込み動作を行なうことを特徴とする請求項３に記載のディスクの引込み装置。
【請求項５】
前記切換え手段が切換えレバーから構成され、前記スライド板の摺動に連動して回動し、前記引込みレバー上の回転体に対する駆動力の伝達を遮断することを特徴とする請求項４に記載のディスクの引込み装置。
【請求項６】
前記コントロールレバーに植設されているピンが前記スライド板の異形の開口の周縁部によって押されるとともに、前記切換えレバーの係合孔に係合し、前記コントロールレバーが回動すると前記切換えレバーが連動して回動することを特徴とする請求項５に記載のディスクの引込み装置。
【請求項７】
ディスクの他側端側が滑り止め部材に押付けられた状態で前記ディスクの一側端が前記回転体によって引込まれることを特徴とする請求項１に記載のディスクの引込み装置。
【発明の詳細な説明】
【技術分野】
【０００１】
本発明はディスクの引込み装置に係り、とくにディスクの外周部に回転体を押当てて前記ディスクを動作位置へ引込むディスクの引込み装置に関する。
【背景技術】
【０００２】
ＣＤ（Ｃｏｍｐａｃｔ  Ｄｉｓｃ）等の光ディスクを用いて記録再生を行なう場合には、上記光ディスクをプレーヤの所定の装着位置に引込み、ターンテーブルによって回転させながら上記ディスクに対して半径方向に移動自在な光ピックアップを用いて信号の読書きを行なう。従ってこのような光ディスクプレーヤは、その記録再生のために、所定の記録再生位置に引込まなければならない。
【０００３】
一般的な光ディスクの引込み装置は、トレー式の装置であって、トレー上の凹部に光ディスクを載置し、この状態でトレーを引込むことにより、光ディスクが演奏位置に移動される。このようなトレー式の引込み装置は、光ディスクよりも一回り大きなトレーを用いるために、ディスクプレーヤの大きさが大きくなる欠点がある。
【０００４】
このような欠点を克服するために、スロットイン方式の光ディスクプレーヤが提案されている。スロットイン方式は、挿入口に光ディスクを挿入して途中まで押込むと、その後に内部の引込み装置が光ディスクを自動的に引込んで記録再生位置に装着するようにしている。このような装置は、光ディスクの挿入の操作数が少なくなるとともに、トレーを用いない分だけスペースが小さくなる。またトレー式に比べて記録再生装置の姿勢の自由度が向上することになる。
【０００５】
ところが従来のスロットイン方式は、原則的に回転自由なコロを用いてディスクを引込むように構成されていたために、スロット内へのディスクの出入れの動作に難点を有する欠点がある。また挿入の際は、ディスクの最大外形がコロの設置ラインを通過するところまでディスクを手動で押込まないと、ディスクが正しくローディングできない欠点がある。また光ディスクを排出する際にも、ディスクに勢いがついて飛出してしまう欠点がある。
【０００６】
特開２００５−８５３４２号公報には、再生する光ディスクが挿入されるディスク挿入口と、ディスク挿入口から挿入された光ディスクを搬送する搬送機構とを備え、搬送機構は、光ディスクの搬送方向と同方向に離間して設けられ、搬送する光ディスクの外周面に接触し回転して回転して光ディスクを搬送する搬送ローラと、搬送ローラが取り付けられる搬送部材と、搬送ローラ間の搬送部材に設けられ、各搬送ローラを搬送する光ディスクの外周面に対して近接離間する方向に移動させる回動支点部と、搬送部材を搬送する光ディスクの外周面の方向に付勢する引っ張りコイルバネとを有し、搬送するディスクが汚損されるのを防止するようにしている。
【０００７】
このような構成のディスクの引込み装置は、搬送部材上にディスクを両側から挟むように一対の搬送ローラを配する構造にしているために、構造が非常に複雑になる欠点がある。また搬送部材を設けなければならないことから、スペース的にも必ずしもコンパクトに構成することができない。
【特許文献１】特開２００５−８５３４２号公報
【特許文献２】特開２００５−１７４４４１号公報
【発明の開示】
【発明が解決しようとする課題】
【０００８】
本願発明の課題は、トレーを用いることなく、光ディスクを記録再生位置へ確実に引込むことができるようにしたスロットインタイプのディスクの引込み装置を提供することである。
【０００９】
本願発明の別の課題は、光ディスクの最大径が引込み用回転体を通過する位置まで手動で押込むことを必要としないようにしたディスクの引込み装置を提供することである。
【００１０】
本願発明のさらに別の課題は、ディスクの排出の際に、ディスクが飛出すことがないようにしたディスクの引込み装置を提供することである。
【００１１】
本願発明のさらに別の課題は、より小型化が可能なディスクの引込み装置を提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、ディスクの外周部に回転体を押当てて前記ディスクを動作位置へ引込むディスクの引込み装置において、
前記回転体を回転自在に支持した引込みレバーと、
前記回転体に対して回転駆動力を伝達する回転駆動手段と、
前記回転体に対する回転駆動力の伝導と遮断とを切換える切換え手段と、
を有し、前記回転体に対して回転駆動力を伝達して該回転体と前記ディスクとの間の摩擦力により前記ディスクを途中まで引込み、前記ディスクが所定の位置まで引込まれたら前記切換え手段によって前記回転体に対する回転駆動力の伝達を遮断して前記回転体を自由な状態にして、前記引込みレバーの移動によって前記ディスクを引込むようにしたことを特徴とするディスクの引込み装置に関するものである。
【００１４】
ここで、駆動ギヤと噛合うラックを有するスライド板を備え、該スライド板の摺動に連動して前記切換え手段による回転駆動力の遮断と、前記引込みレバーの移動による前記ディスクの引込み動作とが行なわれてよい。また前記引込みレバーが前記スライド板の摺動に連動してコントロールレバーを介して回動し、前記引込みレバーに支持された回転体によって前記ディスクを引込むようにしてよい。また前記コントロールレバーに植設されているピンが前記スライド板の異形の開口の周縁部によって押されて該コントロールレバーが回動し、該コントロールレバーの回動運動を前記引込みレバーに伝達して前記ディスクの引込み動作を行なうようにしてよい。また前記切換え手段が切換えレバーから構成され、前記スライド板の摺動に連動して回動し、前記引込みレバー上の回転体に対する駆動力の伝達を遮断してよい。また前記コントロールレバーに植設されているピンが前記スライド板の異形の開口の周縁部によって押されるとともに、前記切換えレバーの係合孔に係合し、前記コントロールレバーが回動すると前記切換えレバーが連動して回動してよい。またディスクの他側端側が滑り止め部材に押付けられた状態で前記ディスクの一側端が前記回転体によって引込まれるようにしてよい。
【００１５】
本願発明の好ましい態様は、スロットインスリムタイプのディスクドライブにおいて、ディスクスロット内より出入れする機構に、搬送ゴムローラ等の積極的な回転駆動手段を用いるようにし、これによって、ディスクの先端をスロットインしただけでローディングできるようにしたオートローディング機構に関するものである。
【００１６】
このようなスロットインタイプのディスクの引込み装置は、ローディング方向の姿勢について、縦横を選ばないので、レイアウトフリーなディスクドライブを提供することができる。また従来のこの種のタイプのディスクの引込み装置は、動作品位的な問題のために、ポータブル式のパソコンにその用途が限定されていた。これに対して本機構は、オートローディングが必要とされる車載セットや、高級品位感が必要とされるオーディオセット等にも搭載できるようなり、これによって車載セットやポータブルＰＣ等の小型化およびデザインの特化が可能になる。
【発明の効果】
【００１７】
本願の主要な発明は、ディスクの外周部に回転体を押当ててディスクを動作位置へ引込むディスクの引込み装置において、回転体を回転自在に支持した引込みレバーと、回転体に対して回転駆動力を伝達する回転駆動手段と、回転体に対する回転駆動力の伝達と遮断とを切換える切換え手段と、を有し、回転体に対して回転駆動力を伝達して該回転体とディスクとの間の摩擦力によりディスクを途中まで引込み、ディスクが所定の位置まで引込まれたら切換え手段によって回転体に対する回転駆動力の伝達を遮断して回転体を自由な状態にして、引込みレバーの移動によってディスクを引込むようにしたものである。
【００１８】
従ってこのようなディスクの引込み装置によると、このディスクの引込み工程の途中までは、積極的に回転駆動される回転体とディスクとの間の摩擦力によってディスクが引込まれ、その後に自由な状態になっている回転体を保持した引込みレバーの移動によってディスクを引込むことが可能になり、このために安定的かつ確実にディスクが引込まれるとともに、ディスクの最大外形まで手動でディスクを押込む必要がなくなる。
【発明を実施するための最良の形態】
【００１９】
以下本願発明を図示の実施の形態によって説明する。図１および図２に示すように、この光ディスクプレーヤは、偏平な外筐９５を備えている。外筐９５の前面側はフロントパネル９６から構成されている。そしてフロントパネル９６には横長のスリット状の挿入口９７が形成され、この挿入口９７に対して光ディスク９２を挿入すると、自動的に引込まれるようになっている。なおとくに図２に示すように、外筐９５はその右側端側の下側の部分が凹部９８になっており、この凹部９８によって右側端の部分の外筐９５の厚さが薄くなっており、いわゆるスリムドライブタイプのディスクプレーヤを構成している。
【００２０】
次にこのようなディスクプレーヤの内部構造を、とくに図３を参照して説明する。このディスクプレーヤはシャーシ１０を備え、このシャーシ１０上にベースユニット１１が昇降自在に取付けられる。すなわちベースユニット１１は図３において下端側の部分に一対の支持部１２を備え、この支持部１２を回動支点として昇降動作するようになっており、他端側に設けられているピン１３が昇降カム１４のカム部１５によって昇降されるようになっている（図１０参照）。そしてベースユニット１１上には、円形のターンテーブル１６が配され、このターンテーブル１６上に光ディスク９２を引込んで回転させるようにしている。また上記シャーシ１０の一側端であってベースユニット１１の側部には滑り止めゴム１７が配される。
【００２１】
上記ベースユニット１１上には、横側蹴出しレバー２０が配され、この横側蹴出しレバー２０がシャーシ１０上の支点ピン２１によって回動自在に支持される。そして横側蹴出しレバー２０は巻ばね２２によって時計方向に回動付勢される。また横側蹴出しレバー２０の先端部にはコロ２３が載置される。
【００２２】
上記横側蹴出しレバー２０に隣接して、シャーシ１０上にはトリガレバー２４が配される。トリガレバー２４はその先端側が傾斜部２５に構成されるとともに、一対の長孔２６を備えている。そしてこれらの長孔２６はシャーシ１０上に植設されたピン２７と係合される。またばね２８によって、トリガレバー２４は図３において右斜め上方に付勢される。
【００２３】
上記トリガレバー２４の先端側に交差するようにコロ逃がしスライダ３２が配される。コロ逃がしスライダ３２は長孔３３を備え、この長孔３３にピン３４と上述のトリガレバー２４の長孔２６に係合するピン２７とが係合される。またコロ逃がしスライダ３２はばね３５によって図３中右方に摺動付勢されている。
【００２４】
上記コロ逃がしスライダ３２の近傍にはさらにコロ逃がしレバー３９が配され、シャーシ１０に植設された支点ピン４０によって回動自在に支持される。しかもこのコロ逃がしレバー３９はピン４１を備え、このピン４１が上述のトリガレバー２４の先端部で押圧されるようになっている。またコロ逃がしレバー３９はその先端部に係合孔４２を備えている。
【００２５】
上記コロ逃がしレバー３９の上側には、重合うように蹴出しレバー４３が配されている。蹴出しレバー４３はシャーシ１０に植設された支点ピン４４によって回動自在に支持されるとともに、巻ばね４５によって時計方向に回動付勢されており、しかもこの蹴出しレバー４３の先端部にコロ４６が取付けられている。
【００２６】
シャーシ１０上にはまた、スライド板５０が摺動自在取付けられている。そしてスライド板５０の先端部に植設されたピン５１が上記コロ逃がしレバー３９の係合孔４２に係合している。またスライド板５０にはＬ字孔５２が形成されている。Ｌ字孔５２は伝達レバー５３に植設されたピン５４を受入れている。伝達レバー５３はシャーシ１０上に植設された支点ピン５５によって回動自在に支持されるとともに、巻ばね５６によって時計方向に回動付勢されている。そしてこの伝達レバー５３に植設されたピン５７が上記昇降カム１４に係合されている。
【００２７】
スライド板５０には異形の開口６０が形成されるとともに、図３において下端側の左側部にラック６１が形成されている。またシャーシ１０上にはモータ６２が取付けられ、このモータ６２の出力軸にウオームホイール６３が固着されている。ウオームホイール６３は歯車列６４を介してピニオン６５と伝動されるようになっている。そしてピニオン６５が上記スライド板５０のラック６１に噛合うようになっている。またシャーシ１０上には光学センサ６６が取付けられる。
【００２８】
上記スライド板５０の下側であってシャーシ１０上には切換えレバー７０が配される。この切換えレバー７０はシャーシ１０上の固定ピンから成る支点ピン７１によって回動自在に支持されるとともに、異形の係合孔７２を備えている。また先端部には伝達歯車７３が取付けられており、しかもこの伝達歯車７３と同軸状にプーリ７４が設けられている。プーリ７４にはベルト７５の一端が掛渡されている。
【００２９】
上記切換えレバー７０およびスライド板５０の上側には引込みレバー７８が配されている。引込みレバー７８は一端にプーリ７９を保持しており、このプーリ７９の支軸が支点ピン８０になっている。すなわち引込みレバー７８は支点ピン８０によって回動自在に支持されている。そして、プーリ７９にベルト７５の他端が掛渡されている。また、引込みレバー７８上には歯車列８１が設けられ、この歯車列８１の端部に駆動輪８２が取付けられている。また引込みレバー７８には円弧状の長孔８３が形成されている。
【００３０】
上記切換えレバー７０およびスライド板５０の上側に重合うように、コントロールレバー８６が配されている。このコントロールレバー８６は、シャーシ１０の切起こし部分（図示せず）に植設された支点ピン８７によって回動自在に支持されるとともに、一対の係合ピン８８、８９が植設されている。一方の係合ピン８８が上記スライド板５０の異形の開口６０と切換えレバー７０の係合孔７２とに係合されている。これに対してコントロールレバー８６の他方の係合ピン８９は上記引込みレバー７８の円弧状の長孔８３に係合されている。
【００３１】
次に、以上のような構成に成るディスクプレーヤによる光ディスク９２の引込み動作を説明する。図１に示すように、フロントパネル９６のスリット状の挿入口９７を通してこのディスクプレーヤの外筐９５内に光ディスク９２の先端部を挿入する。光ディスクの一部が図４に示すように外筐９５の一部に挿入されると、光学センサ６６が光ディスク９２を検出し、これによってモータ６２が回転する。モータ６２の回転はウオームホイール６３および歯車列６４に伝達される。歯車列６４中の中間の歯車が切換えレバー７０の先端部に取付けられている伝達歯車７３に噛合っているために、この歯車７３が回転駆動される。歯車７３の回転は、プーリ７４およびベルト７５を介して反対側のプーリ７９に伝達される。そしてこのプーリ７９の回転が歯車列８１を介して駆動輪８２に伝達されるこのために駆動輪８２が図４において時計方向に回転駆動される。
【００３２】
上述のように引込みレバー７８上の駆動輪８２が時計方向に回転駆動されると、この駆動輪８２と光ディスク９２の外周面との間の摩擦力によって、光ディスク９２は反時計方向に回転する力を受け、このために光ディスク９２はベースユニット１１の左側に配されている滑り止めゴム１７上を転動しながら引込まれていくことになる。図５に示す位置まで光ディスク９２が引込まれると、この光ディスク９２の先端側の部分が横側蹴出しレバー２０の先端部に取付けられているコロ７３を押すことになる。すると横側蹴出しレバー２０のピン２９がトリガレバー２４の傾斜部２５を押圧する。このためにトリガレバー２４が図５に示すように右斜め上方に移動し、これによってこのトリガレバー２４の先端側の部分がコロ逃がしレバー３９上のピン４１を押圧する。従ってコロ逃がしレバー３９が支点ピン４０を中心として時計方向に回転駆動される。
【００３３】
上述の如く、このコロ逃がしレバー３９の先端側の係合孔４２がスライド板５０の先端部に植設されたピン５１を受入れている。従ってスライド板５０は上記コロ逃がしレバー３９の支点ピン４０を中心とする時計方向への回動によって、図５において下方に押される。するとこのスライド板５０に設けられているラック６１が歯車列６４の終端のピニオン６５に噛合う。従ってスライド板５０はモータ６２によって、ウオームホイール６３、歯車列６４、およびピニオン６５を介して駆動され、これによってこのスライド板５０が図５において下方に移動される。
【００３４】
スライド板５０には、とくに図６に拡大して示すように、異形の開口６０が形成されており、スライド板５０の図５における下方への摺動によって、コントロールレバー８６に植設されている係合ピン８８がこのスライド板５０の異形の開口６０内を相対的に図６に示すように上方へ移動するとともに、この移動の際に図５および図６において左方に変位する。このためにコントロールレバー８６は支点ピン８７を中心として図７に示すように時計方向に回動される。このコントロールレバー８６の先端部に設けられている係合ピン８９が引込みレバー７８の長孔８３に係合している。従ってコントロールレバー８６の支点ピン８７を中心とする時計方向の回動によって、引込みレバー７８が図７に示すように支点ピン８０を中心として時計方向に回動され、この引込みレバー７８に設けられている駆動輪８２が光ディスク９２を押込むことになる。なおこのときには、後述するように駆動輪８２は積極的に駆動されておらず、引込みレバー７８の回転に伴う変位によって駆動輪８２が光ディスク９２を引込むことになる。
【００３５】
上記コントロールレバー８６のピン８８はスライド板５０の異形の開口６０および切換えレバー７０の係合孔７２に係合されている。ここで切換えレバー７０の係合孔７２は図８に拡大して示すように屈曲されており、コントロールレバー８６が、引込みレバー７８を回動させるために、支点ピン８７を中心として時計方向に回動すると、上記係合ピン８８が図８Ａに示す位置から図８Ｂに示す位置に移動する。すなわち係合ピン８８は図８において切換えレバー７０の係合孔７２内を相対的に左方に移動することになり、このような移動動作によって、図８Ｂおよび図９に示すように、支点ピン７１を中心として反時計方向に回動される。上述の如く切換えレバー７０の先端部には伝達歯車７３が取付けられている。従ってこの切換えレバー７０の支点ピン７１を中心とする反時計方向への回動によって、伝達歯車７３が歯車列６４中の中間歯車から離れる。このことはモータ６２からの駆動力の伝達が遮断されることを意味する。すなわちコントロールレバー８６の回動動作に連動して、切換えレバー７０が反時計方向に回動されて駆動力の伝達の遮断が行なわれる。従ってこの段階以降は、上記駆動輪８２が単なるコロとして機能するようになり、駆動輪８２が引込みレバー７８の回転駆動に伴う力を光ディスク９２に伝達する機能を果たすことになる。すなわち光ディスク９２は上記駆動輪８２の押圧力のみによって押込まれることになる。
【００３６】
図９に示すように、光ディスク９２がターンテーブル１６上に引込まれたところで、横側蹴出しレバー２０とコロ逃がしレバー３９の回動運動が停止する。ところがこの時点においてはまだスライド板５０のラック６１が歯車列６４の終端のピニオン６５と噛合っているために、スライド板５０はさらに下方に移動される。するとこのスライド板５０に設けられているＬ字孔５２に係合されている伝達レバー５３のピン５４によって、この伝達レバー５３が図９および図１１に示すように、支点ピン５５を中心として時計方向に回動される。するとこの伝達レバー５３によって昇降カム１４が図１１に示すように右方に移動される。従ってベースユニット１１のピン１３が図１０に示す昇降カム１４のカム部１５の左端側に移動する。従ってベースユニット１１は支持部１２を中心としてターンテーブル１６側が持上がるようになり、このために光ディスク９２は外筐９５の天板の内側に設けられている押さえとターンテーブル１６とによって狭着されてチャッキングが終了する。
【００３７】
上述のような昇降カム１４の動作によってチャッキング動作が行なわれた後も、スライド板５０は依然として図１１に示すように下方に移動される。従ってこのようなスライド板５０の移動によって、その異形の開口６０の周縁部でピン８８を押圧するために、コントロールレバー８６がさらに支点ピン８７を中心として反時計方向に回動される。従ってこのコントロールレバー８６の回動運動に連動して、引込みレバー７８が支点ピン８０を中心として反時計方向に回動される。これによって駆動輪８２が光ディスク９２の外周から離間する。また上記スライド板５０の図１１における下方への移動によって、コロ逃がしレバー３９が支点ピン４０を中心としてさらに時計方向に回動されるために、このコロ逃がしレバー３９上のピン１０５が蹴出しレバー４３の切起こし部分を押して、この蹴出しレバー４３を支点ピン４４を中心として反時計方向に回動させる。従ってこのコロ逃がしレバー３９の先端側のコロ４６が光ディスク９２から離間する。また上記コロ逃がしレバー３９に植設されているピン１０６がコロ逃がしスライダ３２を図１１において左方へ押圧するために、このコロ逃がしスライダ３２の先端側の部分が横側蹴出しレバー２０上のピン１０７を押圧し、これによってこの横側蹴出しレバー２０を支点ピン２１を中心として反時計方向に回動させる。従って横側蹴出しレバー２０の先端側のコロ２３が光ディスク９２の外周部から離間する。
【００３８】
このように光ディスク９２が完全に引込まれるとともに、駆動輪８２およびコロ４６、２３から離間した状態において、ターンテーブル１６が回転駆動されるために、これによって所定の記録および／または再生の動作が行なわれる。すなわちこの光ディスク９２に対して半径方向に移動する光ピックアップによって信号の書込みあるいは読出しが行なわれる。
【００３９】
光ディスク９２の排出動作は上記の動作とは基本的に逆の動作になる。そしてその最初の工程において、昇降カム１４の逆方向への移動によってベースユニット１１の下降動作が行なわれる。このときにシャーシ１０上に植設されている取外しピン１０２が光ディスク９２の中心側の部分に当接し、これによってターンテーブル１６から光ディスク９２を引離すようにしている。
【００４０】
以上本願発明を図示の実施の形態によって説明したが、本願発明は上記実施の形態によって限定されることなく、本願に含まれる発明の技術的思想の範囲内において各種の変更が可能である。
【産業上の利用可能性】
【００４１】
本願発明は、コンパクトディスク、ＤＶＤ等の各種の光ディスクを用いる光ディスクプレーヤに広く利用可能である。
【図面の簡単な説明】
【００４２】
【図１】光ディスクプレーヤに対する光ディスクの挿入動作を示す外観斜視図である。
【図２】光ディスクプレーヤの側面図である。
【図３】光ディスクプレーヤにおけるディスクの引込み装置を示す要部平面図である。
【図４】引込み開始の動作を示す要部平面図である。
【図５】光ディスクをほぼ半分引込んだ状態の平面図である。
【図６】スライド板の異形の開口の拡大平面図である。
【図７】光ディスクをほぼ引込んだ状態の要部平面図である。
【図８】切換えレバーの回動動作を示す要部平面図である。
【図９】光ディスクが完全に引込まれた状態の要部平面図である。
【図１０】昇降カムによるチャックアップ動作を示す要部縦断面図である。
【図１１】チャックアップ動作を完了した状態の光ディスクプレーヤの要部平面図である。
【符号の説明】
【００４３】
１０…シャーシ、１１…ベースユニット、１２…支持部、１３…ピン、１４…昇降カム、１５…カム部、１６…ターンテーブル、１７…滑り止めゴム、２０…横側蹴出しレバー、２１…支点ピン、２２…巻ばね、２３…コロ、２４…トリガレバー、２５…傾斜部、２６…長孔、２７…ピン、２８…ばね、２９…ピン、３２…コロ逃がしスライダ、３３…長孔、３４…ピン、３５…ばね、３９…コロ逃がしレバー、４０…支点ピン、４１…ピン、４２…係合孔、４３…蹴出しレバー、４４…支点ピン、４５…巻ばね、４６…コロ、５０…スライド板、５１…ピン、５２…Ｌ字孔、５３…伝達レバー、５４…ピン、５５…支点ピン、５６…巻ばね、５７…ピン、６０…異形の開口、６１…ラック、６２…モータ、６３…ウオームホイール、６４…歯車列、６５…ピニオン、６６…光学センサ、７０…切換えレバー、７１…固定ピン（支点）、７２…係合孔、７３…伝達歯車、７４…プーリ、７５…ベルト、７８…引込みレバー、７９…プーリ、８０…支点ピン、８１…歯車列、８２…駆動輪、８３…長孔、８６…コントロールレバー、８７…支点ピン、８８、８９…係合ピン、９２…光ディスク、９５…外筐、９６…フロントパネル、９７…挿入口、９８…凹部、１０２…取外しピン、１０５、１０６、１０７…ピン
【図１】
2007200491.tif 000003
【図２】
2007200491.tif 000004
【図３】
2007200491.tif 000005
【図４】
2007200491.tif 000006
【図５】
2007200491.tif 000007
【図６】
2007200491.tif 000008
【図７】
2007200491.tif 000009
【図８】
2007200491.tif 000010
【図９】
2007200491.tif 000011
【図１０】
2007200491.tif 000012
【図１１】
2007200491.tif 000013